(57)【要約】【課題】筆記芯ユニットに高い筆圧が加えられた際に当該筆記芯ユニットの損傷を確実に回避することができると共に、筆記感が滑らかな筆記具を提供すること。【解決手段】本発明は、軸筒と、前記軸筒の前端の開口部に挿通された口金と、前記口金の内周面に接するように当該口金に挿通された筆記芯ユニットと、前記軸筒内に設けられ、前記筆記芯ユニットに加えられる前記軸筒の軸方向後方に向かう力により前記口金を前記軸筒及び前記筆記芯ユニットに対して軸方向前方に相対移動させる運動方向変換手段と、を備えたことを特徴とする筆記具である。【選択図】図３
2017113993.tif 000002
【特許請求の範囲】
【請求項１】
軸筒と、
前記軸筒の前端の開口部に挿通された口金と、
前記口金の内周面に接するように当該口金に挿通され、前方領域が前記軸筒内において撓み変形可能あるいは傾動可能であるように前記軸筒内に支持された筆記芯ユニットと、
を備え、
前記筆記芯ユニットに加えられる前記軸筒の径方向に向かう力により、前記筆記芯ユニットは前記軸筒に対して軸方向後方に相対移動し、前記口金は前記軸筒に対して軸方向前方に相対移動する
ことを特徴とする筆記具。
【請求項２】
前記軸筒は、内周面に押圧部を有しており、
前記筆記芯ユニットは、外周面に被押圧部を有しており、
前記筆記芯ユニットの前方領域が前記軸筒内において撓み変形あるいは傾動する際には、前記押圧部によって、前記被押圧部を介し前記筆記芯ユニットに前記軸筒の軸方向後方に向かう力が加えられる
ことを特徴とする請求項１に記載の筆記具。
【請求項３】
前記押圧部と前記被押圧部との少なくとも一方は、軸方向後方に向かって次第に大径となるテーパ面である
ことを特徴とする請求項２に記載の筆記具。
【請求項４】
前記軸筒内に設けられ、前記筆記芯ユニットの前記軸筒に対する軸方向後方への相対移動に応じて前記口金を前記軸筒に対して軸方向前方に相対移動させる、運動方向変換手段を更に備え、
前記運動方向変換手段は、前記口金の後方領域に当接し、前記軸筒内に揺動可能に支持された揺動部材を有している
ことを特徴とする請求項１乃至３のいずれかに記載の筆記具。
【請求項５】
前記口金が前記揺動部材に当接する位置から当該揺動部材の揺動軸線までの距離と、前記筆記芯ユニットが前記揺動部材に当接する位置から当該揺動部材の揺動軸線までの距離と、は異なっている
ことを特徴とする請求項４に記載の筆記具。
【請求項６】
前記運動方向変換手段は、前記筆記芯ユニットの前記軸筒に対する軸方向後方への相対移動量とは異なる量にわたって前記口金を前記軸筒に対して軸方向前方に相対移動させるようになっている
ことを特徴とする請求項４に記載の筆記具。
【発明の詳細な説明】
【技術分野】
【０００１】
本発明は、筆記具に関し、特には、高い筆圧による筆記芯ユニットの損傷を回避ないし低減することが可能なタイプの筆記具に関する。
【背景技術】
【０００２】
従来、シャープペンシルを用いて筆記を行う際に、筆記芯（鉛芯）に高い筆圧が加えられると、口金の先端から露出された筆記芯が容易に折損してしまう、という問題があった。筆記芯の折損は、筆圧が一定であれば、シャープペンシルの軸筒の軸方向と紙面とのなす角度が小さくなるほど（軸筒を寝かせるほど）、あるいは、口金の先端から露出される筆記芯の長さが長くなるほど、顕著である。
【０００３】
このような問題に対し、特許文献１（特開２０１５−１２３６８９）には、筆記芯に高い筆圧が加えられた際に、筆圧の軸方向の成分と筆圧の当該軸方向に垂直な成分とをそれぞれ異なる機構により吸収して筆記芯の折損を低減させる、というシャープペンシルが記載されている。
【０００４】
具体的には、特許文献１のシャープペンシルは、口金が弾性体（コイルバネ）を介して軸筒に支持されており、当該口金は、軸方向後方に向かって次第に小径となるカム斜面を有している。また、軸筒には、カム斜面を軸方向前方に押圧する押圧部が形成されている。このような構成により、筆圧の軸方向に垂直な成分（軸筒径外方向の力）に起因して、口金のカム斜面が軸筒の押圧部によって軸方向前方に押圧されて、軸筒の先端から口金が前方にスライドする（飛び出す）。これにより、口金の先端から露出される筆記芯の長さが減少されるようになっている。
【０００５】
更に、特許文献１のシャープペンシルは、筆記芯を繰り出す芯繰出ユニットが、弾性体（コイルバネ）によって軸方向前方（軸方向における口金の先端方向）に付勢された状態で、軸方向に相対移動可能に軸筒に支持されている。そして、筆記芯を含む芯繰出ユニットが軸筒に対して軸方向後方に相対移動することによって、筆圧の軸方向の成分が吸収される。この結果、口金の先端から露出される筆記芯の長さが一層減少されて、筆記芯の折損が低減されるようになっている。
【先行技術文献】
【特許文献】
【０００６】
【特許文献１】特開２０１５−１２３６８９
【発明の概要】
【発明が解決しようとする課題】
【０００７】
特許文献１に記載されているシャープペンシルにおいては、筆記時に筆記芯に加えられる高い筆圧に起因して芯繰出ユニットが軸筒に対して軸方向後方に相対移動すると、これに伴ってシャープペンシルを把持する筆記者の手の姿勢が変化する。
【０００８】
これに対して、本件発明者は、以上のような姿勢の変化が小さい方が筆記感が滑らかであると感じる使用者が多いことを確認した。
【０００９】
本発明は、以上のような知見に基づいており、その目的は、筆記芯ユニットに高い筆圧が加えられた際に当該筆記芯ユニットの損傷（例えば筆記芯の折損）を回避することができると共に、筆記感が滑らかな筆記具を提供することである。
【課題を解決するための手段】
【００１０】
本発明は、軸筒と、前記軸筒の前端の開口部に挿通された口金と、前記口金の内周面に接するように当該口金に挿通され、前方領域が前記軸筒内において撓み変形可能あるいは傾動可能であるように前記軸筒内に支持された筆記芯ユニットと、を備え、前記筆記芯ユニットに加えられる前記軸筒の径方向に向かう力により、前記筆記芯ユニットは前記軸筒に対して軸方向後方に相対移動し、前記口金は前記軸筒に対して軸方向前方に相対移動することを特徴とする筆記具である。
【００１１】
本発明によれば、筆記芯ユニットに高い筆圧が加えられた際に、当該筆圧の軸筒の軸方向に垂直な成分によって筆記芯ユニットが軸筒に対して軸方向後方に相対移動すると共に口金が軸筒及び筆記芯ユニットに対して軸方向前方に相対移動する。このことにより、口金から露出する筆記芯ユニットの長さが減少されて当該筆記芯ユニットの損傷（例えばシャープペンシルにおける筆記芯の折損）を回避することができる。更に、筆記芯ユニットが軸筒に対して軸方向後方に相対移動する移動量よりも大きな量にわたって筆記芯ユニットが口金内に引き込まれるため、筆記芯ユニットの損傷を回避するために必要とされる筆記芯ユニットの軸筒に対する移動量を低減させることができる。すなわち、筆記具を把持する筆記者の手の姿勢の変化を最小限にとどめることができ、筆記感が滑らかな筆記具を提供することができる。
【００１２】
好ましくは、前記軸筒は、内周面に押圧部を有しており、前記筆記芯ユニットは、外周面に被押圧部を有しており、前記筆記芯ユニットの前方領域が前記軸筒内において撓み変形あるいは傾動する際には、前記押圧部によって、前記被押圧部を介し前記筆記芯ユニットに前記軸筒の軸方向後方に向かう力が加えられるようになっている。
【００１３】
具体的には、前記押圧部と前記被押圧部との少なくとも一方は、軸方向後方に向かって次第に大径となるテーパ面であることが好ましい。
【００１４】
この場合、シンプルな構成でありながら、筆圧による軸筒の軸線方向に垂直な力を前記軸筒の軸方向後方に向かう力に容易且つ確実に変換することができる。
【００１５】
また、好ましくは、前記軸筒内に設けられ、前記筆記芯ユニットの前記軸筒に対する軸方向後方への相対移動に応じて前記口金を前記軸筒に対して軸方向前方に相対移動させる運動方向変換手段を更に備え、前記運動方向変換手段は、前記口金の後方領域に当接し、前記軸筒内に揺動可能に支持された揺動部材を有している。
【００１６】
この場合、筆記芯ユニットが軸筒に対して軸方向後方に相対移動することによって筆記芯ユニットが揺動部材を揺動させ、これによって当該揺動部材が口金を軸筒に対して軸方向前方に相対移動させるため、筆記芯ユニットの軸筒に対する軸方向後方への相対移動を、口金の前記軸筒に対する軸方向前方への相対移動に変換することが容易である。
【００１７】
また、好ましくは、前記口金が前記揺動部材に当接する位置から当該揺動部材の揺動軸線までの距離と、前記筆記芯ユニットが前記揺動部材に当接する位置から当該揺動部材の揺動軸線までの距離と、は異なっている。
【００１８】
あるいは、好ましくは、前記運動方向変換手段は、前記筆記芯ユニットの前記軸筒に対する軸方向後方への相対移動量とは異なる量にわたって前記口金を前記軸筒に対して軸方向前方に相対移動させるようになっている。
【００１９】
これらの場合、例えば、口金が揺動部材に当接する位置から当該揺動部材の揺動軸線までの距離の方が、筆記芯ユニットが揺動部材に当接する位置から当該揺動部材の揺動軸線までの距離よりも大きいならば、筆記芯ユニットの軸筒に対する軸方向後方への相対移動量よりも大きな量にわたって、口金を前記軸筒に対して軸方向前方へ相対移動させることができ、筆記芯ユニットの軸筒に対する軸方向後方への相対移動による筆記感の低下を一層抑制することができる。あるいは、口金が揺動部材に当接する位置から当該揺動部材の揺動軸線までの距離の方が、筆記芯ユニットが揺動部材に当接する位置から当該揺動部材の揺動軸線までの距離よりも小さいならば、より小さい筆圧で口部材を前記軸筒に対して軸方向前方へ相対移動させ得るため、筆記芯ユニットが脆弱な場合においても当該筆記芯ユニットの損傷を回避させることができる。
【発明の効果】
【００２０】
本発明によれば、筆記芯ユニットに高い筆圧が加えられた際に、当該筆圧の軸筒の軸方向に垂直な成分によって筆記芯ユニットが軸筒に対して軸方向後方に相対移動すると共に口金が軸筒及び筆記芯ユニットに対して軸方向前方に相対移動する。このことにより、口金から露出する筆記芯ユニットの長さが減少されて当該筆記芯ユニットの損傷（例えばシャープペンシルにおける筆記芯の折損）を回避することができる。更に、筆記芯ユニットが軸筒に対して軸方向後方に相対移動する移動量よりも大きな量にわたって筆記芯ユニットが口金内に引き込まれるため、筆記芯ユニットの損傷を回避するために必要とされる芯繰出ユニットの軸筒に対する移動量を低減させることができる。すなわち、筆記具を把持する筆記者の手の姿勢の変化を最小限にとどめることができ、筆記感が滑らかな筆記具を提供することができる。
【図面の簡単な説明】
【００２１】
【図１】本発明の一実施の形態の筆記具の概略縦断面図である。
【図２】図１の筆記具の筆記芯ユニットに筆圧が加えられていない状態における、当該筆記具の前方領域の部分的な概略縦断面図である。
【図３】図１の筆記具の筆記芯ユニットに筆圧が加えられている状態における、当該筆記具の前方領域の部分的な概略縦断面図である。
【図４】図１の筆記具における揺動部材の概略側面図である。
【図５】図１の筆記具における揺動部材の概略平面図である。
【図６】図４の揺動部材の変形例の概略側面図である。
【図７】図４の揺動部材の変形例の概略平面図である。
【発明を実施するための形態】
【００２２】
以下に、添付の図面を参照して本発明の一実施の形態を詳細に説明する。
【００２３】
図１は、本発明の一実施の形態の筆記具の概略縦断面図である。また、図２は、図１の筆記具の筆記芯ユニットに筆圧が加えられていない状態における、当該筆記具の前方領域の部分的な概略縦断面図であり、図３は、図１の筆記具の筆記芯ユニットに筆圧が加えられている状態における、当該筆記具の前方領域の部分的な概略縦断面図である。
【００２４】
図１乃至図３に示すように、本実施の形態における筆記具は、シャープペンシル１００である。このシャープペンシル１００は、軸筒１０と、軸筒１０の前端の開口部３１に挿通され、軸筒１０の前端から前方へ突出した口金５０と、口金５０の内周面に接するように当該口金５０に挿通され、口金５０の前端から前方へ突出するように軸筒１０に支持された筆記芯ユニットと、を備えている。本実施の形態の筆記芯ユニットは、後に詳述されるが、筆記芯７０を含む芯繰出ユニット４０として具現化されている。また、本実施の形態の軸筒１０は、ポリカーボネート製であり、後軸２０と、後方領域が後軸２０の前方領域内に遊嵌された前軸３０と、により構成されている。
【００２５】
また、図１乃至図３に示すように、後軸２０の前方領域の内周面には、後述される被押圧部４５ａと協働して芯繰出ユニット４０を軸方向後方へ移動させるための押圧部２１が設けられている。また、後軸２０の前端の内周面には、当該後軸２０の径方向内側に突出したリブ２３が形成されている。更に、後軸２０の内周面には、押圧部２１よりも軸方向後方の内周面において、平坦な面が軸方向前方に向けられた段部２２が形成されている。
【００２６】
図１乃至図３に示すように、本実施の形態の前軸３０は、口金５０の外面に固定されている。この前軸３０の後端には、前軸３０の径方向外側に向かって突出したフランジ部３４が設けられている。このフランジ部３４は、後軸２０のリブ２３よりも後方に位置している。更に、当該フランジ部３４は、その外径がリブ２３の内径よりも大きく構成されていて、前軸３０が後軸２０から不所望に抜け落ちることが防止されていると共に、芯繰出ユニット４０の軸筒１０内における撓み変形ないし傾動に伴って、前軸３０が後軸２０に対して当該後軸２０の径方向に移動可能となっている。
【００２７】
図１乃至図３に示すように、本実施の形態の芯繰出ユニット４０は、軸筒１０の内部で当該軸筒１０の軸方向に延在するポリプロピレン製の芯パイプ４１と、芯パイプ４１の前端部にコネクタ４９を介して固定された黄銅製のチャック４３と、チャック４３の前方領域に外嵌された黄銅製の締めリング４２と、チャック４３を取り囲む外筒４５と、外筒４５に対して芯パイプ４１を軸方向後方に付勢するリターンスプリング４４と、外筒４５の前端領域を取り囲む筒状の先端部材４６と、を有している。本実施の形態の先端部材４６の前方領域の内周面には、平坦な面が軸方向後方に向けられた段部４６ａが設けられており、後述されるように、芯繰出ユニット４０から筆記芯７０が繰り出される際に、先端部材４６に対する締めリング４２の軸方向前方への相対移動が規制されるようになっている。
【００２８】
また、後述されるが、図１乃至図３に示すように、外筒４５の後方領域は、芯パイプ４１の前方領域を取り囲む円筒状のスリーブとなっており、このスリーブの後端には、径方向外側に張り出した被押圧部４５ａが設けられている。被押圧部４５ａの後端面は、軸筒１０の軸方向に垂直な平面を有しており、この平面と後軸２０の段部２２との間に伸縮可能なコイルバネ３５が圧縮状態で配置されている。このコイルバネ３５は、芯繰出ユニット４０が軸筒１０の軸方向後方に相対移動される際に、適度な抵抗感を提供するようになっている。また、後軸２０の押圧部２１と段部２２との間の領域において、後軸２０の内径が被押圧部４５ａの外径よりも大きくなっており、当該被押圧部４５ａの、すなわち芯繰出ユニット４０の軸筒１０の径方向への移動（偏心）が許容されるようになっている。また、被押圧部４５ａの軸方向前方側の面は、軸方向後方に向かって次第に大径となるテーパ面として構成されている。
【００２９】
また、芯繰出ユニット４０の先端領域には、黄銅製の口金５０が取り付けられている。本実施の形態の口金５０は、図１乃至図３に示すように、円筒状の前方領域５１と、外径が当該前方領域５１の外径よりも大きいスリーブ状の後方領域５２と、によって構成されている。図１乃至図３に示すように、前方領域５１は、前方（図１における左方、図２及び図３における左下方）に向かって先細となるテーパ状の前端部５１ａを有しており、口金５０が軸筒１０内に固定された状態において、この前端部５１ａが軸筒１０（前軸３０）の前端から前方へ突出するようになっている。前方領域５１と後方領域５２との接続部分の外面は、平坦な面が軸方向前方に向けられた段部５３となっている。また、図４に示すように、後方領域５２の後端縁には、周方向の一部において軸方向後方（図１における右方、図２及び図３における右上方）に突出する突出部５４が設けられている。
【００３０】
図１乃至図３に示すように、本実施の形態の芯繰出ユニット４０は、口金５０の後方領域５２と芯パイプ４１との間に、揺動部材を作動させるための作動部材４７を有している。本実施の形態の作動部材４７は、全体として筒状であり、周方向の一部であって軸筒１０の軸線に関して口金５０の突出部５４の反対側の一部に、軸筒１０の軸方向後方に突出した押圧部４７ａが設けられている。また、作動部材４７は、前端が芯繰出ユニット４０の外筒４５の外周面に設けられた外鍔４５ｃの後端に当接していて、芯繰出ユニット４０と共に口金５０に対して軸筒の軸方向後方に相対移動可能となっている。
【００３１】
図１乃至図３に戻って、本実施の形態の軸筒１０内には、芯繰出ユニット４０に加えられる軸筒１０の軸方向後方に向かう力により口金５０を軸筒１０及び芯繰出ユニット４０に対して軸方向前方に相対移動させる運動方向変換手段が設けられている。具体的には、本実施の形態の運動方向変換手段は、口金５０の突出部５４及び芯繰出ユニット４０の作動部材４７に当接し、軸筒１０内に揺動可能に支持された揺動部材６０として具現化されている。
【００３２】
図４は、図１のシャープペンシル１００における揺動部材６０の概略側面図であり、図５は、図１のシャープペンシル１００における揺動部材６０の概略平面図である。図４及び図５に示すように、本実施の形態の揺動部材６０は、全体として円環状の揺動体６１と、揺動部材６０を軸筒１０内に揺動可能に固定するための円柱状の固定凸部６２と、を有している。具体的には、本実施の形態の２つの固定部材６２は、当該２つの固定部材６２を結ぶ直線が前記円環の中心を通らないような位置関係で揺動体６１の外周面上に設けられている。
【００３３】
図１乃至図３に戻って、本実施の形態の口金５０は、前述の通り、前端部５１ａが軸筒１０の前端から前方へ突出した状態で、当該軸筒１０内に配置されている。また、先端部材４６は、芯繰出ユニット４０の先端領域に外嵌固定された状態で、口金５０の内部に軸方向に相対移動可能に内嵌されている。更に、本実施の形態の軸筒１０（前軸３０）の前端には内鍔３２が設けられていて、この内鍔３２と口金５０の段部５３との間に、伸縮可能なコイルバネ３３が圧縮状態で配置されている。すなわち、口金５０は、コイルバネ３３の付勢力によって、軸筒１０に対して軸方向後方に付勢されている。
【００３４】
また、図１に示すように、口金５０及び先端部材４６の軸方向後方において、揺動部材６０が揺動可能に支持されている。具体的には、軸筒１０の軸方向の同じ位置において、当該軸筒１０の内周面上の周方向に２つの凹部（不図示）が設けられており、これらの凹部に揺動部材６０の２つの固定凸部６２がそれぞれ係合されている。揺動部材６０は、当該係合によって、軸筒１０に対する軸方向の相対移動が規制されていると共に当該２つの固定凸部６２を結ぶ揺動軸線周りに旋回可能となっている。
【００３５】
本実施の形態においては、図１及び図２に示すように、コイルバネ３３の付勢力によって、作動部材４７の押圧部４７ａの後端と口金５０の突出部５４の後端とが揺動体６１の一端と他端とにそれぞれ押し付けられている。すなわち、揺動部材６０の揺動軸線は、口金５０が揺動部体６１に当接する位置と、筆記芯ユニット４０の押圧部４７ａが揺動体６１に当接する位置と、の間に位置している。この状態で、揺動部材６０は、軸筒１０の軸線に対して垂直な平面と平行になっている。更に、本実施の形態においては、口金５０の突出部５４が揺動体６１に当接する位置から揺動部材６０の揺動軸線までの距離の方が、作動部材４７の押圧部４７ａが揺動体６１に当接する位置から揺動部材６０の揺動軸線までの距離よりも大きくなっている。
【００３６】
また、図１に示すように、芯繰出ユニット４０は、芯パイプ４１の後端に取り付けられて芯パイプ４１を外筒４５に対して軸方向前方に押圧するためのノック部４８を、更に有している。本実施の形態のノック部４８は、軸方向前方に、芯パイプ４１の後端領域に内嵌されるスリーブ部４８ａを有しており、軸方向後方に、円柱状の消しゴム８０を取外可能に保持するホルダ部４８ｂを有している。スリーブ部４８ａの内部空間とホルダ部４８ｂの内部空間とは、開口によって連通されている。このことにより、消しゴム８０をホルダ部４８ｂから取り外すことによって、当該開口から筆記芯７０を芯パイプ４１内に投入できるようになっている。また、ホルダ部４８ｂには、消しゴム８０の後方を覆うドーム状のノブ８１が取外可能に外嵌されている。
【００３７】
次に、本実施の形態のシャープペンシル１００の作用について説明する。
【００３８】
まず、紙面に対して筆記を行うに先立ち、必要に応じて、ノブ８１と消しゴム８０とがホルダ部４８ｂから取り外され、スリーブ部４８ａとホルダ部４８ｂとを連通する開口を介して筆記芯７０が芯パイプ４１内に投入される。そして、消しゴム８０とノブ８１とがホルダ部４８ｂに取り付けられ、口金５２の前端が下方に向けられた状態でノック部４８（ノブ８１）が軸筒１０に対して軸方向前方に押圧（ノック）される。これにより、芯パイプ４１、コネクタ４９、チャック４３、締めリング４２及び筆記芯７０がリターンスプリング４４の付勢力に対抗して、軸筒１０に対して軸方向前方に相対移動させられる。この相対移動の途中で、締めリング４２のみが先端部材４６の内面に形成された当接段部４６ａに当接する。これにより、チャック４３から締めリング４２が後方に外されて当該チャック４３が開放され、筆記芯７０が繰り出される。
【００３９】
そして、ノック部４８（ノブ８１）の押圧状態が解除されると、芯パイプ４１がチャック４３と共にリターンスプリング４４の付勢力によって軸方向後方に相対移動させられる。これに伴って、締めリング４２が再びチャック４３の前方領域に外嵌され、チャック４３が締められる。これにより、チャック４３によって筆記芯７０が軸方向後方に相対移動しないように挟持され、筆記芯７０が繰り出された状態が維持される。そして、この一連の押圧操作が適宜繰り返されることにより、口金５２の先端から筆記芯７０が所望の長さ露出される（繰り出される）（図２参照）。そして、使用者によって前軸３０が把持され、紙面に対して筆記芯７０を当接させつつ軸筒１０を所望に移動させることによって、筆記が行われる。
【００４０】
本実施の形態のシャープペンシル１００は、筆記時に筆記芯７０に高い筆圧が加えられると、当該筆圧によって口金５０の先端から露出される筆記芯７０の長さを減少させ、当該筆記芯７０の折損を回避する。
【００４１】
具体的には、筆圧の軸方向の成分によって、芯繰出ユニット４０に軸方向後方に向かう力が加えられると、この力は、芯繰出ユニット４０の押圧部４７ａを介して、揺動体６１の一端（図３における右端）を軸筒１０の軸方向後方に押圧する力として揺動部材６０に伝えられる。そして、この力は、揺動部材６０によって、揺動体６１の他端（図３における左端）が口金５０を軸方向前方に押圧する力に変換される。この変換された力が一定以上の大きさであれば、揺動体６１の他端が、コイルバネ３３、３５の付勢力に対抗して口金５０を軸筒１０及び筆記芯７０（芯繰出ユニット４０）に対して軸方向前方に相対移動させる。すなわち、口金５０の先端から露出される筆記芯７０の長さが減少される。
【００４２】
また、筆圧の軸方向に垂直な成分によって、芯繰出ユニット４０に一定以上の大きさの軸筒１０の径方向の力が加えられると、この力によって、芯繰出ユニット４０の前方領域が、傾動、すなわち軸筒１０の径方向に移動（偏心）しようとする。換言すれば、被押圧部４５ａのテーパ面４５ｂが押圧部２１に沿ってスライドされようとするため、芯繰出ユニット４０に軸筒１０の軸方向後方に向かう力が加えられる。この力が一定以上の大きさであれば、前述したように、揺動体６１の他端が、コイルバネ３３、３５の付勢力に対抗して口金５０を軸筒１０及び筆記芯７０（芯繰出ユニット４０）に対して軸方向前方に相対移動させる。すなわち、口金５０の先端から露出される筆記芯７０の長さが減少される。
【００４３】
本実施の形態においては、口金５０の突出部５４が揺動体６１に当接する位置から揺動部材６０の揺動軸線までの距離の方が、筆記芯ユニット４０の押圧部４７ａが揺動体６１に当接する位置から揺動部材６０の揺動軸線までの距離よりも大きいため、軸筒１０に対して筆記芯７０が軸方向後方に相対移動した際の移動量の２倍を超える移動量に相当する長さに亘って、筆記芯７０が口金５０内に引き込まれる。
【００４４】
そして、筆記芯７０に加えられている筆圧が弱められると、コイルバネ３３、３５の付勢力によって口金５０が軸方向後方に相対移動し、当該口金５０の突出部５４が揺動体６１の他端を軸方向後方に押圧する。これにより、揺動体６１の一端が作動部材４７の押圧部４７ａを軸方向前方に押圧し、筆記芯７０を含む芯繰出ユニット４０が口金５０及び軸筒１０に対して軸方向前方に相対移動させられる。これらのことにより、筆記芯７０が口金５０内に引き込まれる前の初期状態が復元される。
【００４５】
以上のような本実施の形態によれば、筆記芯７０に高い筆圧が加えられた際に、当該筆圧の軸筒１０の軸方向に垂直な成分によって筆記芯７０を含む芯繰出ユニット４０が軸筒１０に対して軸方向後方に相対移動すると共に口金５０が軸筒１０及び筆記芯７０を含む芯繰出ユニット４０に対して軸方向前方に相対移動することにより、口金５０から露出する筆記芯７０の長さが減少され、筆記芯７０の折損を回避することができる。更に、筆記芯７０を含む芯繰出ユニット４０が軸筒１０に対して軸方向後方に相対移動する移動量よりも大きな量にわたって筆記芯７０が口金５０内に引き込まれるため、筆記芯７０の損傷を回避するために必要とされる筆記芯７０を含む芯繰出ユニット４０の軸筒に対する移動量を低減させることができる。すなわち、シャープペンシル１００を把持する筆記者の手の姿勢の変化を最小限にとどめることができ、筆記感が滑らかなシャープペンシル１００を提供することができる。
【００４６】
また、軸筒１０は、内周面に押圧部２１を有しており、芯繰出ユニット４０は、外周面に被押圧部４５ａを有しており、芯繰出ユニット４０の前方領域が軸筒１０内において撓み変形あるいは傾動する際には、押圧部２１によって、被押圧部４５ａを介して芯繰出ユニット４０に軸筒１０の軸方向後方に向かう力が加えられるようになっている。具体的には、被押圧部４５ａは、軸方向後方に向かって次第に大径となるテーパ面４５ｂを有している。
【００４７】
このため、シンプルな構成でありながら、筆圧による軸筒１０の軸線方向に垂直な力を軸筒１０の軸方向後方に向かう力に容易且つ確実に変換することができる。
【００４８】
また、本実施の形態のシャープペンシル１００は、軸筒１０内に設けられ、芯繰出ユニット４０の軸筒１０に対する軸方向後方への相対移動に応じて口金５０を軸筒１０に対して軸方向前方に相対移動させる揺動部材６０を更に備えている。この揺動部材６０の一端には口金５０の突出部５４が、他端には作動部材４７の押圧部４７ａが、それぞれ当接している。すなわち、芯繰出ユニット４０が軸筒１０に対して軸方向後方に相対移動して作動部材４７が揺動部材６０を揺動させ、これによって当該揺動部材６０が口金５０を軸筒１０に対して軸方向前方に相対移動させ得るため、芯繰出ユニット４０の軸筒１０に対する軸方向後方への相対移動を、口金５０の軸筒１０に対する軸方向前方への相対移動に変換することが容易である。
【００４９】
また、口金５０が揺動部材６０の揺動体６１に当接する位置から当該揺動部材６０の揺動軸線までの距離の方が、芯繰出ユニット４０が揺動部材６０の揺動体６１に当接する位置から当該揺動部材６０の揺動軸線までの距離よりも大きい。このため、芯繰出ユニット４０の軸筒１０に対する軸方向後方への相対移動量の２倍を超える量にわたって、口金５０を軸筒１０に対して軸方向前方へ相対移動させることができ、筆記感の低下を抑制する。
【００５０】
なお、固定凸部６２が揺動体６１の円環の直径の両端に位置する２箇所に設けられていて、口金５０が揺動部材６０の揺動体６１に当接する位置から当該揺動部材６０の揺動軸線までの距離と、芯繰出ユニット４０が揺動部材６０の揺動体６１に当接する位置から当該揺動部材６０の揺動軸線までの距離と、が等しくなっている場合、あるいは、口金５０が揺動部材６０の揺動体６１に当接する位置から当該揺動部材６０の揺動軸線までの距離の方が、芯繰出ユニット４０が揺動部材６０の揺動体６１に当接する位置から当該揺動部材６０の揺動軸線までの距離よりも小さい場合、のいずれにおいても、筆記感の低下を抑制する効果が発揮され得る。
【００５１】
なお、本実施の形態では、被押圧部４５ａの軸方向前方の面にテーパ面４５ｂが設けられているが、これに限られず、例えば被押圧部４５ａを矩形断面の凸条として形成し、押圧部２１の軸方向後方の面に軸方向後方に向かって次第に大径となるテーパ面を形成しても良い。
【００５２】
また、例えば、芯繰出ユニット４０の前端領域の構造を適宜変更することにより、揺動体６１の一方の端部に重りを取り付けておき、筆記時の軸筒１０の水平面に対する傾きに応じて、重力の作用によって口金５０を軸筒１０に対して軸方向前方に移動させるように構成することも可能である。あるいは、揺動体６１を中空の円環状に構成し、当該中空の領域に重量体（例えば金属製の小球）を配置させることによって、軸筒１０が軸線回りに所望に回転された状態においても、重力の作用によって口金５０を軸筒１０に対して軸方向前方に移動させるように構成しても良い。
【００５３】
なお、本実施の形態では、筆記具としてシャープペンシル１００を例示したが、ボールペン、サインペン、マーカー、修正ペンなど、軸筒１０の前端から筆記部を突出させた筆記具に広く採用することができる。
【符号の説明】
【００５４】
１０  軸筒
２０  後軸
２１  押圧部
２２  段部
３０  前軸
３１  前端
３２  内鍔
３３  コイルバネ
３４  フランジ部
３５  コイルバネ
４０  芯繰出ユニット
４１  芯パイプ
４２  締めリング
４３  チャック
４４  リターンスプリング
４５  外筒
４５ａ  被押圧部
４５ｂ  テーパ面
４５ｃ  外鍔
４６  先端部材
４６ａ  当接段部
４７  作動部材
４７ａ  押圧部
４８  ノック部
４８ａ  スリーブ部
４８ｂ  ホルダ部
４９  コネクタ
５０  口金
５１  前方領域
５２  後方領域
５３  段部
５４  突出部
６０  揺動部材
６１  揺動体
６２  固定凸部
７０  筆記芯
８０  消しゴム
８１  ノブ
１００  シャープペンシル
２４６  先端部材
２６０  揺動部材
２６１  揺動体
２６２  固定凸部
【図１】
2017113993.tif 000003
【図２】
2017113993.tif 000004
【図３】
2017113993.tif 000005
【図４】
2017113993.tif 000006
【図５】
2017113993.tif 000007
【図６】
2017113993.tif 000008
【図７】
2017113993.tif 000009